(57)【要約】【課題】ユーザの嗜好に合った広告を配信可能とし、ヒット率を向上させる。【解決手段】ユーザ情報サーバ８は、ユーザ認証時に登録されたユーザの趣味、嗜好に従って、各ユーザを趣向グループ別に分類する。広告配信サーバ２は、ユーザ認証を元に分類されたユーザ趣向グループ毎に、そのグループに属するユーザの趣向にあった広告コンテンツ（ＣＭ）を、広告ＤＢ３から読み出して配信する。広告コンテンツは、広告枠に割り当てられた時間枠で配信される。【選択図】　図１
2004005159.tif 000002
【特許請求の範囲】
【請求項１】
ネットワークを介して複数のユーザ端末に対して広告コンテンツを配信する広告配信装置であって、
前記複数のユーザ端末を用いる顧客の興味、嗜好を表す顧客情報を記憶する顧客情報記憶手段と、
前記顧客情報記憶手段に記憶されている顧客情報に基づいて、各顧客を趣向グループ別に分類する分類手段と、
前記分類手段により分類されたユーザ趣向グループに属するユーザの興味、嗜好に合致する広告コンテンツを、各ユーザ趣向グループのユーザ端末に配信する広告コンテンツ配信手段と
を具備することを特徴とする広告配信装置。
【請求項２】
前記広告コンテンツ配信手段は、前記ユーザ趣向グループに属するユーザの興味、嗜好に合致する前記広告コンテンツを、広告枠に割り当てられた時間枠で、ユーザ趣向グループのユーザ端末に一斉配信することを特徴とする請求項１記載の広告配信装置。
【請求項３】
ネットワークを介して複数のユーザ端末に対して広告コンテンツを配信する広告配信方法であって、
前記複数のユーザ端末の各々を用いる顧客の興味、嗜好を表す顧客情報を記憶し、
前記顧客情報に基づいて、各顧客を趣向グループ別に分類し、
前記ユーザ趣向グループに属するユーザの興味、嗜好に合致する広告コンテンツを、各ユーザ趣向グループのユーザ端末に配信することを特徴とする広告配信方法。
【請求項４】
前記広告コンテンツは、広告枠に割り当てられた時間枠で、各ユーザ趣向グループのユーザ端末に一斉配信されることを特徴とする請求項３記載の広告配信方法。
【請求項５】
顧客の興味、嗜好を表す顧客情報を登録するステップと、
前記顧客情報に基づいて、各顧客を趣向グループ別に分類するステップと、
前記ユーザ趣向グループに属するユーザの興味、嗜好に合致する広告コンテンツを、ネットワークを介して、各ユーザ趣向グループの顧客のユーザ端末に配信するステップと
をコンピュータに実行させることを特徴とする広告配信プログラム。
【請求項６】
前記広告コンテンツを、広告枠に割り当てられた時間枠で、各ユーザ趣向グループのユーザ端末に一斉配信するステップをコンピュータに実行させることを特徴とする請求項５記載の広告配信プログラム。
【請求項７】
顧客の興味、嗜好を表す顧客情報を登録するステップと、
前記顧客情報に基づいて、各顧客を趣向グループ別に分類するステップと、
前記ユーザ趣向グループに属するユーザの興味、嗜好に合致する広告コンテンツを、ネットワークを介して、各ユーザ趣向グループの顧客のユーザ端末に配信するステップと
をコンピュータに実行させる広告配信プログラムを記録したことを特徴とする記録媒体。
【請求項８】
前記広告コンテンツを、広告枠に割り当てられた時間枠で、各ユーザ趣向グループのユーザ端末に一斉配信するステップをコンピュータに実行させる広告配信プログラムを記録したことを特徴とする請求項７記載の記録媒体。
【発明の詳細な説明】
【０００１】
【発明の属する技術分野】
本発明は、広告配信装置、広告配信方法、広告配信プログラムおよび記録媒体に関する。
【０００２】
【従来の技術】
従来、ＩＰ網上で映像を配信する映像配信サービスにおいて、ＴＶ方式の場合には、図３に示すように、番組と番組の間に複数の広告（ＣＭ）が埋め込まれた形式で、ユーザ端末へ配信される。すなわち、１単位時間当たりに１つの広告が一方向へプッシュ型配信放送する。
【０００３】
【発明が解決しようとする課題】
しかしながら、従来技術では、全てのユーザ端末への一方向へのプッシュ型配信のため、ユーザ（視聴者）は、自分の趣味や興味と関係ない広告の配信を受けてしまう。また、視聴ユーザを把握することができない。放送できる地域が各放送局の範囲になってしまう。この結果、きめ細かな広告配信が不可能である。
【０００４】
この発明は上述した事情に鑑みてなされたもので、ユーザの嗜好に合った広告を配信することができ、ヒット率を向上させることができる広告配信装置、広告配信方法、広告配信プログラムおよび記録媒体を提供することを目的とする。
【０００５】
【課題を解決するための手段】
上述した問題点を解決するために、請求項１記載の発明では、ネットワークを介して複数のユーザ端末に対して広告コンテンツを配信する広告配信装置であって、前記複数のユーザ端末を用いる顧客の興味、嗜好を表す顧客情報を記憶する顧客情報記憶手段と、前記顧客情報記憶手段に記憶されている顧客情報に基づいて、各顧客を趣向グループ別に分類する分類手段と、前記分類手段により分類されたユーザ趣向グループに属するユーザの興味、嗜好に合致する広告コンテンツを、各ユーザ趣向グループのユーザ端末に配信する広告コンテンツ配信手段とを具備することを特徴とする。
【０００６】
また、請求項２記載の発明では、請求項１記載の広告配信装置において、前記広告コンテンツ配信手段は、前記ユーザ趣向グループに属するユーザの興味、嗜好に合致する前記広告コンテンツを、広告枠に割り当てられた時間枠で、ユーザ趣向グループのユーザ端末に一斉配信することを特徴とする。
【０００７】
また、上述した問題点を解決するために、請求項３記載の発明では、ネットワークを介して複数のユーザ端末に対して広告コンテンツを配信する広告配信方法であって、前記複数のユーザ端末の各々を用いる顧客の興味、嗜好を表す顧客情報を記憶し、前記顧客情報に基づいて、各顧客を趣向グループ別に分類し、前記ユーザ趣向グループに属するユーザの興味、嗜好に合致する広告コンテンツを、各ユーザ趣向グループのユーザ端末に配信することを特徴とする。
【０００８】
また、請求項４記載の発明では、請求項３記載の広告配信方法において、前記広告コンテンツは、広告枠に割り当てられた時間枠で、各ユーザ趣向グループのユーザ端末に一斉配信されることを特徴とする。
【０００９】
また、上述した問題点を解決するために、請求項５記載の発明では、顧客の興味、嗜好を表す顧客情報を登録するステップと、前記顧客情報に基づいて、各顧客を趣向グループ別に分類するステップと、前記ユーザ趣向グループに属するユーザの興味、嗜好に合致する広告コンテンツを、ネットワークを介して、各ユーザ趣向グループの顧客のユーザ端末に配信するステップとをコンピュータに実行させることを特徴とする。
【００１０】
また、請求項６記載の発明では、請求項５記載の広告配信プログラムにおいて、前記広告コンテンツを、広告枠に割り当てられた時間枠で、各ユーザ趣向グループのユーザ端末に一斉配信するステップをコンピュータに実行させることを特徴とする。
【００１１】
また、上述した問題点を解決するために、請求項７記載の発明では、顧客の興味、嗜好を表す顧客情報を登録するステップと、前記顧客情報に基づいて、各顧客を趣向グループ別に分類するステップと、前記ユーザ趣向グループに属するユーザの興味、嗜好に合致する広告コンテンツを、ネットワークを介して、各ユーザ趣向グループの顧客のユーザ端末に配信するステップとをコンピュータに実行させる広告配信プログラムを記録したことを特徴とする。
【００１２】
また、請求項８記載の発明では、請求項７記載の記録媒体において、前記広告コンテンツを、広告枠に割り当てられた時間枠で、各ユーザ趣向グループのユーザ端末に一斉配信するステップをコンピュータに実行させる広告配信プログラムを記録したことを特徴とする。
【００１３】
この発明では、前記複数のユーザ端末を用いる顧客の興味、嗜好を表す顧客情報を顧客情報記憶手段に記憶しておき、分類手段により、前記顧客情報に基づいて、各顧客を趣向グループ別に分類し、広告コンテンツ配信手段により、前記分類手段により分類されたユーザ趣向グループに属するユーザの興味、嗜好に合致する広告コンテンツを、各ユーザ趣向グループのユーザ端末に配信する。したがって、ユーザの嗜好に合った広告を配信することができ、ヒット率を向上させることが可能となる。
【００１４】
【発明の実施の形態】
以下、図面を用いて本発明の実施の形態を説明する。
Ａ．実施形態の構成
図１は、本発明の実施形態による図である。図１において、広告配信システムは、ユーザ端末１−１〜１−６、広告配信サーバ２、広告ＤＢ（データベース）３、視聴率集計サーバ４、視聴率集計ＤＢ５、配信管理サーバ６、配信管理ＤＢ７、ユーザ情報サーバ８、ユーザ情報ＤＢ９から構成されている。
【００１５】
ユーザ端末１−１〜１−６は、ユーザ（全員企業）が保有する配信網に接続可能な端末であり、主にセットトップボックスＳＴＢを保有するテレビ受像機ＴＶ、パーソナルコンピュータＰＣなどからなる。これらユーザ端末１−１〜１−６は、ルータ１５などを介してネットワーク２０に接続されている。
【００１６】
次に、広告配信サーバ２は、広告ＤＢ３に格納されている広告コンテンツの配信を制御する。広告ＤＢ３は、広告コンテンツを格納している。
【００１７】
視聴率集計サーバ４は、視聴情報の受信日時、番組名などからユーザ端末１−１〜１−６における視聴率を集計する。視聴率集計ＤＢ５は、視聴情報の受信日時、番組名、サイトコード、認証コードを格納している。
【００１８】
配信管理サーバ６は、配信管理ＤＢ７の広告コンテンツのビジネスロジックに従って広告コンテンツの配信管理を行なう。配信管理ＤＢ７は、広告コンテンツのビジネスロジックを格納している。
【００１９】
ユーザ情報サーバ８は、ユーザの顧客情報を管理（登録、編集、消去など）する。ユーザ情報ＤＢ９は、顧客情報（顧客名、認証コード、年齢、性別、家族構成、趣味など）を格納している。
【００２０】
Ｂ．実施形態の動作
次に、本実施形態の動作について詳細に説明する。ここで、図２は、実際に本システムを利用した場合の番組表のイメージを示す概念図である。ユーザ情報サーバ８は、ユーザ認証時に登録されたユーザの趣味、嗜好に従って、各ユーザを趣向グループ別に分類する。広告配信サーバ２は、ユーザ認証を元に分類されたユーザ趣向グループ毎に、そのグループに属するユーザの趣向にあった広告コンテンツ（ＣＭ）を、広告ＤＢ３から読み出して配信する。広告コンテンツは、広告枠に割り当てられた時間枠で、それぞれのユーザ趣向グループのユーザ端末１−１〜１−６に一斉配信される。これにより、限られた広告枠の時間で効率的に配信することで、より広告視聴率を向上させることが可能となる。
【００２１】
また、本サービスでは、視聴率集計サーバ４により集計された視聴率に基づく利用頻度に応じた課金で、月毎に利用回数に応じた請求をＣＭ提供者に対して行なう。このように、本実施形態では、ユーザの嗜好に応じた広告を配信することにより、広告配信効率の向上を図ることができる。また、複数の広告を同時に配信することができる。
【００２２】
上述した実施形態によれば、ユーザは、自分の趣味や興味に応じた有益な広告情報を受信できる。広告主は、ターゲットを絞った配信で、広告のヒット率を向上させることができ、また、広告配信の経済効率を向上させることができる。サービス提供者は、広告収入の増加を図ることができ、また、ユーザ別に比べ、広告配信先を容易に管理することができる。さら、システム提供者は、個々のユーザ認証を元にした広告配信に比べ、システム構成を軽減することができる。
【００２３】
また、広告配信サーバ２の機能、あるいはユーザ情報サーバ８の機能は、図示しない記憶部に記憶されたプログラムを実行することで実現するようになっている。記憶部は、ハードディスク装置や光磁気ディスク装置、フラッシュメモリ等の不揮発性メモリやＲＡＭ（Ｒａｎｄｏｍ　Ａｃｃｅｓｓ　Ｍｅｍｏｒｙ）のような揮発性のメモリ、あるいはこれらの組み合わせにより構成されるものとする。また、上記記憶部とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００２４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワークや電話回線等の通信回線のように情報を伝送する機能を有する媒体のことをいう。また、上記プログラムは、上述した処理の一部を実現するためのものであってもよい。さらに、上述した処理を広告配信サーバ２の機能、あるいはユーザ情報サーバ８に既に記録されているプログラムとの組み合わせで実現できるもの、いわゆる差分ファイル（差分プログラム）であってもよい。
【００２５】
以上、この発明の実施形態を図面を参照して詳述してきたが、具体的な構成は、上記実施形態に限られるものではなく、この発明の要旨を逸脱しない範囲の設計等も含まれる。
【００２６】
【発明の効果】
以上説明したように、本発明によれば、前記複数のユーザ端末を用いる顧客の興味、嗜好を表す顧客情報を顧客情報記憶手段に記憶しておき、分類手段により、前記顧客情報に基づいて、各顧客を趣向グループ別に分類し、広告コンテンツ配信手段により、前記分類手段により分類されたユーザ趣向グループに属するユーザの興味、嗜好に合致する広告コンテンツを、各ユーザ趣向グループのユーザ端末に配信するようにしたので、ユーザの嗜好に合った広告を配信することができ、ヒット率を向上させることができるという利点が得られる。
【図面の簡単な説明】
【図１】本発明の実施形態による広告配信システムの構成を示すブロック図である。
【図２】本実施形態の広告配信システムによる番組表のイメージを示す概念図である。
【図３】従来技術による、ＩＰ網上で映像を配信する映像配信サービスでの番組表のイメージを示す概念図である。
【符号の説明】
１−１〜１−６　ユーザ端末
２　広告配信サーバ（広告コンテンツ配信手段）
３　広告ＤＢ
４　視聴率集計サーバ
５　視聴率集計ＤＢ
６　配信管理サーバ
７　配信管理ＤＢ
８　ユーザ情報サーバ（分類手段）
９　ユーザ情報ＤＢ（顧客情報記憶手段）
１５　ルータ
２０　ネットワーク
【図１】
2004005159.tif 000003
【図２】
2004005159.tif 000004
【図３】
2004005159.tif 000005